(57)【要約】【課題】  着脱が容易で作業性が良く、かつバックルとフックとが外れにくい締付け具を提供する。【解決手段】  締付け具は、留め具と、フックと、ベルトとを備える。留め具は、枠体を有する。フックは、枠体の前枠部が挿入される。ベルトは、一端がフックに接続され、他端が留め具に長さ調節可能に接続される。前枠部は、前後方向の幅がフックの開口入口幅よりも小さく、前後方向以外の幅が開口入口幅よりも大きい被挿入部を有する。【選択図】    図４
2013180089.tif 000002
【特許請求の範囲】
【請求項１】
枠体を有する留め具と、
前記枠体の前枠部が挿入されるフックと、
一端が前記フックに接続され、他端が前記留め具に長さ調節可能に接続されるベルトとを備え、
前記前枠部は、前後方向の幅が前記フックの開口入口幅よりも小さく、前記前後方向以外の幅が前記開口入口幅よりも大きい被挿入部を有する
ことを特徴とする締付け具。
【請求項２】
枠体を有する留め具と、
前記枠体の前枠部が挿入されるフックと、
一端が前記フックに接続され、他端が前記留め具に長さ調節可能に接続されるベルトとを備え、
前記前枠部は、前後方向から所定の角度変位した方向の幅がフックの開口入口幅よりも小さく、前記前後方向から所定の角度変位した方向以外の幅が前記開口入口幅よりも大きい被挿入部を有する
ことを特徴とする締付け具。
【請求項３】
請求項１または請求項２に記載の締付け具において、
前記フックは、前記枠体の両側枠部と相対する位置に傾斜部を備える
ことを特徴とする締付け具。
【請求項４】
請求項１から請求項３のいずれか１項に記載の締付け具において、
前記被挿入部は、前記前枠部の一部に形成され、
前記開口入口は、前記被挿入部に対応する位置に形成される
ことを特徴とする締付け具。
【請求項５】
請求項１から請求項４のいずれか１項に記載の締付け具において、
前記被挿入部は、前記前枠部の中央から側面方向に変位した位置に形成される
ことを特徴とする締付け具。
【発明の詳細な説明】
【技術分野】
【０００１】
本発明は、締付け具に関する。
【背景技術】
【０００２】
従来より、物品を縛るための締付け具として、物品に巻かれたベルトの一端をベルトの他端に接続された留め具に挿通させて物品を締付けるものがある（例えば、特許文献１参照）。また、ベルトの一端にフックが接続され、上記のフックをベルトの他端に接続された留め具にかけ止めして連結するものもある（例えば、特許文献２参照）。
【先行技術文献】
【特許文献】
【０００３】
【特許文献１】特開平１０−１４７３６２号公報
【特許文献２】特開２００２−２６６１３９号公報
【発明の概要】
【発明が解決しようとする課題】
【０００４】
しかし、従来の締付け具では、物品を縛る度にベルトの一端をベルトの他端の留め具に挿通しなければならず、作業性が悪い場合がある。また、従来の締付け具では、留め具とフックが外れやすい場合がある。
【０００５】
上記事情に鑑み、着脱が容易で作業性が良く、かつ留め具とフックとが外れにくい締付け具を提供する。
【課題を解決するための手段】
【０００６】
一の態様の締付け具は、留め具と、フックと、ベルトとを備える。留め具は、枠体を有する。フックは、枠体の前枠部が挿入される。ベルトは、一端がフックに接続され、他端が留め具に長さ調節可能に接続される。前枠部は、前後方向の幅がフックの開口入口幅よりも小さく、前後方向以外の幅が開口入口幅よりも大きい被挿入部を有する。
【０００７】
他の態様の締付け具は、留め具と、フックと、ベルトとを備える。留め具は、枠体を有する。フックは、枠体の前枠部が挿入される。ベルトは、一端がフックに接続され、他端が留め具に長さ調節可能に接続される。前枠部は、前後方向から所定の角度変位した方向の幅がフックの開口入口幅よりも小さく、前後方向から所定の角度変位した方向以外の幅が開口入口幅よりも大きい被挿入部を有する。
【０００８】
フックは、枠体の両側枠部と相対する位置に傾斜部を備えてもよい。
【０００９】
被挿入部は、前枠部の一部に形成され、開口入口は、被挿入部に対応する位置に形成されてもよい。
【００１０】
被挿入部は、前枠部の中央から側面方向に変位した位置に形成されてもよい。
【発明の効果】
【００１１】
本発明によれば、着脱が容易で作業性が良く、かつ留め具とフックとが外れにくい締付け具を提供できる。
【図面の簡単な説明】
【００１２】
【図１】第１実施形態の締付け具の模式図
【図２】（ａ）第１実施形態の留め具の平面図、（ｂ）第１実施形態の留め具の側面図
【図３】（ａ）第１実施形態のフックの平面図、（ｂ）第１実施形態のフックの側面図
【図４】（ａ）第１実施形態の留め具とフックとの接続前の状態を示す側面図、（ｂ）第１実施形態の留め具とフックとの接続後の状態を示す側面図
【図５】第１実施形態の締付け具装着後のベルトの締付け方法を示す側面図
【図６】（ａ）第２実施形態の留め具とフックとの接続前の状態を示す側面図、（ｂ）第２実施形態の留め具とフックとの接続後の状態を示す側面図
【図７】（ａ）第２実施形態の留め具とフックとの接続状態において留め具を接続時とは反対側に傾動させた場合を示す側面図、（ｂ）第２実施形態の留め具とフックとの接続状態において留め具を接続時とは反対側に傾動させた場合を示す平面図
【図８】（ａ）第３実施形態の留め具とフックの平面図、（ａ）第３実施形態の留め具とフックの側面図
【図９】（ａ）第４実施形態の留め具とフックとの接続状態の一態様を示す平面図、（ｂ）第４実施形態の留め具とフックとの接続状態の他の一態様を示す平面図
【図１０】第１実施形態の他の態様の留め具を示す平面図
【発明を実施するための形態】
【００１３】
＜第１実施形態の説明＞
図１〜図３を参照しつつ、第１実施形態の締付け具の構成例を説明する。図１は、第１実施形態の締付け具の模式図である。第１実施形態の締付け具は、例えば、シリンダージャケットやゴルフバック等の物品の締付けに使用される。上記の締付け具は、ベルトが物品に巻きつけられた後、留め具とフックとが接続され、留め具側のベルトが引張られることにより物品を締付け固定することができる。
【００１４】
図１において、締付け具１は、留め具１０と、フック２０と、ベルト３０とを備える。ベルト３０の一端３１はフック２０に接続され、他端３２は留め具１０に長さ調節可能に接続されている。
【００１５】
図２は、（ａ）第１実施形態の留め具の平面図、及び（ｂ）第１実施形態の留め具の側面図である。図２において、留め具１０は、例えば金属や樹脂等で形成され、略長方形状の枠体１１と、枠体１１の両側枠部１３に沿って摺動可能に装着された係止部１５とを備える。なお、留め具１０は、金属で形成される場合はアルミ等の柔らかい金属よりも、鉄やステンレス等の固い金属で形成されることが好ましい。
【００１６】
枠体１１は、前枠部１２と後枠部１４と両側枠部１３とを備える。第１実施形態における前枠部１２は、留め具１０の前後方向（ベルトの長手方向）の幅Ａが後述のフック２０の開口入口２３の幅Ｃよりも小さく、上記方向以外の幅Ｂが上記の開口入口２３の幅Ｃよりも大きい被挿入部１６を有する。第１実施形態における前枠部１２は、前枠部１２全体が被挿入部１６となる。側枠部１３は、係止部１５が摺動可能に装着されている。後枠部１４は、係止部１５に巻回されたベルト３０を係止部１５と共に圧接係止する。
【００１７】
係止部１５は、両側枠部１３に摺動可能に装着されている。係止部１５は、挿通されたベルト３０の他端３２が引張られると後枠部１４側に移動し、後枠部１４と共にベルト３０を圧接係止する。
【００１８】
図３は、（ａ）第１実施形態のフックの平面図、及び（ｂ）第１実施形態のフックの側面図である。図３において、フック２０は、例えば金属や樹脂で形成され、留め具１０に接続されるフック部２１と、ベルト３０に接続される後端部２４とを備える。なお、フック２０は、留め具１０と同様に金属で形成される場合はアルミ等の柔らかい金属よりも、鉄やステンレス等の固い金属で形成されることが好ましい。
【００１９】
フック部２１は、留め具１０の前枠部１２が挿入される開口２２を有する。フック部２１の開口２２における開口入口２３の幅Ｃは、前枠部１２の前後方向の幅Ａよりも大きく形成され、前枠部１２の上記前後方向以外の幅Ｂよりも小さく形成される。そのため、留め具１０をフック２０への挿入方向に対して直立位置に変位させなければ、留め具１０の前枠部１２をフック部２１の開口入口２３に挿入させることができない。フック部２１の開口２２内部の幅は、留め具１０の前枠部１２のいずれの方向の幅よりも大きく形成されている。そのため、留め具１０とフック２０との接続時には、留め具１０の前枠部１２は、開口２２内部ではいずれの方向にも回動可能である。
【００２０】
ベルト３０は、例えば布や耐熱性のガラス繊維等で形成される。ベルト３０は、一端３１がフック２０の後端部２４に接続され、他端３２が止め具１０に長さ調節可能に接続されている。すなわち、第１実施形態のベルト３０は、一端３１がフック２０の後端部２４で折り返され固定されて接続されている。また、ベルト３０の他端３２は、留め具１０の係止部１５に巻回して折り返され、係止部１５と留め具１０の後枠部１４との間に挿入されている。そして、ベルト３０の他端３２が引張られると、係止部１５が後枠部１４側に移動し、ベルト３０は、係止部１５と後枠部１４との間で圧接係止される。
【００２１】
次に、図４、図５を参照しつつ第１実施形態の締付け具の作用効果について説明する。図４は、（ａ）第１実施形態の留め具とフックとの接続前の状態を示す側面図と、（ｂ）第１実施形態の留め具とフックとの接続後の状態を示す側面図である。
【００２２】
第１実施形態の締付け具１では、ベルト３０が物品に巻かれた後、留め具１０がフック２０の開口２２内部に挿入されることで留め具１０とフック２０とが接続される。第１実施形態のフック２０は、フック部２１の開口入口２３の幅が開口２２内部の幅よりも小さくなるように構成されている。そして、開口入口２３の幅は、留め具１０の前枠部１２の前後方向の幅よりも大きく形成され、上記以外の方向の幅よりも小さく形成されている。このため、図４（ａ）に示されるように、留め具１０をフック２０への挿入方向に対して直立位置に変位させることにより、留め具１０の前枠部１２をフック２０の開口入口２３に挿入することができる。
【００２３】
前枠部１２がフック２０の開口２２内部に完全に挿入された後は、図４（ｂ）に示されるように留め具１０をフック２０の挿入方向に対して平行な位置に倒すことで留め具１０とフック２０とは接続される。このとき、フック２０の開口入口２３の幅は、留め具１０の前枠部１２の前後方向の以外の幅よりも小さく形成されているため、留め具１０はフック２０への挿入方向に対して直立位置に回動されない限り留め具１０が開口入口２３の外に抜け出ることはない。
【００２４】
図５は、第１実施形態の締付け具装着後のベルトの締付け方法を示す側面図である。図５に示されるように、ベルト３０の一端３１はフック２０の後端部２４に接続され、他端３２は止め具１０に長さ調節可能に接続されている。すなわち、第１実施形態のベルト３０は、一端３１がフック２０の後端部２４で折り返され固定されて接続されている。また、ベルト３０の他端３２は、留め具１０の係止部１５に巻回して折り返され、係止部１５と枠体１１の後枠部１４との間に挿通されている。このため、留め具１０とフック２０とが接続された後にベルト３０の他端３２が引張られると、係止部１５が後枠部１４側に変位し、係止部１５と後枠部１４との間でベルト３０が圧接係止され、ベルト３０に巻かれた物品が締付け固定される。
【００２５】
なお、留め具１０とフック２０との接続を解除する場合は、挿入するときと反対の動作をすればよい。すなわち、ベルト３０の締め付けを解除し、図４（ｂ）に示されるような留め具１０がフック２０への挿入方向に対して平行な位置に倒された状態から、図４（ａ）に示されるような留め具１０をフック２０への挿入方向に対して直立する位置に回動させることで、留め具１０の前枠部１２をフック２０の開口入口２３の外に取り外すことができる。
【００２６】
従って、第１実施形態の締付け具１によれば、取り付け又は取り外しは、留め具１０とフック２０とを接続又は接続を解除させるのみで良い。このため、第１実施形態の締付け具１によれば、締付け具１の取り付け又は取り外しの度にベルト３０を留め具１０に挿入する手間が省け、着脱が容易で作業性が良い締付け具を提供できる。また、第１実施形態の締付け具１によれば、留め具１０はフック２０への挿入方向に対して直立方向に回動されない限り留め具１０がフック部２１の開口入口２３の外に抜け出ることはない。このため、第１実施形態によれば、留め具１０とフック２０とが外れにくい締付け具を提供できる。
【００２７】
＜第２実施形態の説明＞
次に、図６、図７を参照しつつ、第２実施形態における締付け具を説明する。なお、以下の説明において、第１実施形態と同一の構成については同一の符号を用い、重複説明は省略する。
【００２８】
図６（ａ）は、第２実施形態の留め具とフックとの接続前の状態を示す側面図、図６（ｂ）は、第２実施形態の留め具とフックとの接続後の状態を示す側面図である。図７（ａ）は、第２実施形態の留め具とフックとの接続状態において留め具を接続時とは反対側に傾動させた場合を示す側面図、図７（ｂ）は、第２実施形態の留め具とフックとの接続状態において留め具を接続時とは反対側に傾動させた場合を示す平面図である。
【００２９】
第２実施形態では、第１実施形態とは異なり、留め具１０の枠体１１が、前枠部１２における留め具１０の前後方向（ベルトの長手方向）からさらに所定の角度変位した方向の幅が、フック２０の開口入口２３の幅よりも小さく形成され、前枠部１２における上記以外の方向の幅がフック２０の開口入口２３の幅よりも大きい被挿入部１６を有する。第２実施形態における前枠部１２は、前枠部１２全体が被挿入部１６となる。なお、上記の前枠部１２以外の構成は、第１実施形態と同一である。また、所定の角度は、留め具１０を挿入方向に対して直立よりもさらに挿入方向とは反対側（フック２０の後端部２４側）に傾動させなければ、留め具１０とフック２０との接続又は接続の解除が出来ないような角度に設定するのが好ましい。
【００３０】
第２実施形態の留め具１０は上記の構成を備えるため、留め具１０とフック２０との接続又は接続の解除をするためには、留め具１０を挿入方向に対して直立よりもさらに挿入方向とは反対側（フック２０の後端部２４側）に傾動させなければならない。図６の例では、一例として、前枠部１２における前後方向からさらに４５度変位した位置の幅が、フック２０の開口入口２３の幅よりも小さく形成されている。このため、図６の例では、留め具１０を挿入方向に対して直立する方向よりもさらに４５度フック２０の後端部２４側に変位させなければ、留め具１０の前枠部１２をフック２０の開口入口２３から挿入させることが出来ない。第２実施形態の留め具１０の前枠部１２がフック２０の開口２２内部に挿入された後は、図６（ｂ）に示されるように、留め具１０が挿入方向に対して平行な位置に倒されることで留め具１０とフック２０との接続が完了する。
【００３１】
なお、第２実施形態における図６の例では、留め具１０とフック２０との接続を解除させるためには、図６（ｂ）に示されるような留め具１０が挿入方向に対して平行な位置に倒された状態から、図６（ａ）に示されるような留め具１０を挿入方向に対して直立する方向よりもさらに４５度フック２０の後端部２４側に変位した状態に傾動させる。このようにすることで、留め具１０の前枠部１２をフック２０の開口入口２３から取り外すことができ、留め具１０とフック２０との接続を解除できる。
【００３２】
従って、第２実施形態の締付け具１によれば、留め具１０の前枠部１２における前後方向からさらに所定の角度（例えば４５度）変位した方向の幅が、フック２０の開口入口２３の幅よりも小さく形成され、前枠部１２における上記以外の方向の幅がフック２０の開口入口２３の幅よりも大きく形成されている。このため、一旦留め具１０とフック２０とが接続されると、第１実施形態よりもさらに所定の角度（例えば４５度）分だけフック２０の後端部２４側に留め具１０を傾動させなければ留め具１０とフック２０との接続を解除することができない。このため、第２実施形態の締付け具１によれば、留め具１０とフック２０とが第１実施形態の締付け具１よりも外れにくい。
【００３３】
なお、第２実施形態において、フック２０の両側における留め具１０の側枠部１３と相対する位置に傾斜部２５を備えても良い。一例として、所定の角度が４５度である場合について説明すると、図７（ａ）に示すように、留め具１０とフック２０とが接続された状態で留め具１０を接続時とは反対の方向に回動させた場合、４５度回動させるのみで、留め具１０の前枠部１２におけるフック２０の開口入口２３の幅よりも小さい幅の部分がフック２０の開口入口２３に向かい合う。このため、留め具１０を接続時とは反対の方向に４５度回動させると、前枠部１２が開口入口２３を通過し、留め具１０とフック２０との接続が解除されてしまう可能性がある。しかし、フック２０の両側における留め具１０の側枠部１３と相対する位置に図７（ａ）、（ｂ）の斜線に示す傾斜部２５を備えることによって、留め具１０の両側枠部１３がフック２０の外に抜け出ることを妨げることができる。このため、フック２０に傾斜部２５を備えることにより、留め具１０とフック２０とが接続された状態で留め具１０が接続時とは反対の方向に所定の角度（例えば４５度）回動された場合においても、留め具１０とフック２０とが外れることがない。
【００３４】
＜第３実施形態の説明＞
次に、図８を参照しつつ、第３実施形態における締付け具を説明する。図８（ａ）は、第３実施形態の留め具とフックの平面図、図８（ｂ）は、第３実施形態の留め具とフックの側面図である。
【００３５】
第３実施形態の留め具１０は、第１実施形態とは異なり、留め具１０の前枠部１２の左右１箇所ずつに被挿入部１６が形成されている。すなわち、図８（ａ）に示す通り、前枠部１２における左右１箇所ずつの被挿入部１６の部分のみ、前後方向（ベルトの長手方向）の幅がフック２０の開口入口２３の幅よりも小さく形成されており、留め具１０の前枠部１２における上記以外の幅は、いずれの場所・方向においてもフック２０の開口入口２３の幅よりも大きく形成されている。
【００３６】
また、第３実施形態のフック２０は、第１実施形態とは異なり、左右のフック部２１は繋がっておらず、フック部２１は留め具１０の留め具１０の前枠部１２における左右の被挿入部１６に対応する位置にのみ形成されている。なお、上記以外の構成については、第１実施形態と同一である。
【００３７】
第３実施形態の留め具１０とフック２０とが接続されるためには、まず、留め具１０の前枠部１２における被挿入部１６の位置をフック２０の開口入口２３の位置に合わせる。そして、上記の位置で留め具１０を挿入方向に対して直立に変位させ、被挿入部１６をフック２０の開口入口２３から開口２２内部に挿入すればよい。その他については、第１実施形態と同様であるため説明を省略する。
【００３８】
第３実施形態の構成によれば、留め具１０における前枠部１２の一部にのみ被挿入部１６を形成すればよい。このため、第３実施形態の構成によれば、第１実施形態と同様の効果に加え、例えば金属の留め具１０の前枠部１２をプレスして被挿入部１６を形成する場合、プレスする場所が少なくて済み、容易に市販の留め具１０を加工できる。また、プレスする場所が少なくて済むため、コストダウンにもつながる。
【００３９】
＜第４実施形態の説明＞
次に、図９を参照しつつ、第４実施形態における締付け具を説明する。図９（ａ）は、第４実施形態の留め具とフックとの接続状態の一態様を示す平面図、図９（ｂ）は、第４実施形態の留め具とフックとの接続状態の他の一態様を示す平面図である。
【００４０】
第４実施形態における留め具１０は、被挿入部１６が前枠部１２の中央から側面方向に変位した位置に形成される。図９（ａ）の例では、留め具１０の前枠部１２において、側面方向（図中上側）に変位した位置に被挿入部１６が連続して形成されている。なお、フック２０は、第１実施形態と同様のフック２０が用いられている。そして、図９（ｂ）の例では、留め具１０の前枠部１２の中央から側面方向（図中上側）に変位した位置に２箇所被挿入部１６が形成されている。そして、フック２０は、第３実施形態と同様のフック２０が用いられている。なお、上記以外の構成については、第１実施形態又は第３実施形態と同一である。
【００４１】
第４実施形態の留め具１０とフック２０とが接続されるためには、まず、留め具１０の前枠部１２における被挿入部１６の位置をフック２０の開口入口２３の位置に合わせる必要がある。そして、上記の位置で留め具１０を挿入方向に対して直立に変位させ、被挿入部１６をフック２０の開口入口２３から開口２２内部に挿入する。その後は、開口２２内部に挿入された留め具１０を挿入方向に対して平行な位置に回動させ、さらに、フック部２１を反対側の側面方向（図中下側）にずらすことで、第４実施形態の留め具１０とフック２０との接続が完了する。
【００４２】
第４実施形態の構成によれば、被挿入部１６が、前枠部１２の中央から側面方向（図中上側）に変位した位置に形成され、前枠部１２における上記以外の部分は、いずれの方向の幅もフック２０の開口入口２３の幅よりも大きく形成される。このため、第４実施形態の構成によれば、前枠部１２における被挿入部１６以外の場所においてはいずれの角度においても留め具１０とフック２０との接続を解除することができない。従って、第４実施形態によれば、留め具１０とフック２０との接続後、フック２０の位置を留め具１０の被挿入部１６から側面方向にずらすことで、第１実施形態と同様の効果に加え、第１実施形態よりも留め具１０とフック２０とをさらに外れにくくすることができる。
【００４３】
＜実施形態の補足事項＞
（１）以上の実施形態では、留め具１０の枠体１１の前枠部１２にのみ被挿入部１６を形成する例について述べたが、枠体１１の前枠部１２及び後枠部１４の両者に被挿入部１６を形成してもよい。両者に被挿入部１６を形成すれば、前枠部１２と後枠部１４との区別無く留め具１０を使用することができる。
【００４４】
図１０（ａ）、（ｂ）では、一例として、第１実施形態の留め具１０の前枠部１２と後枠部１４との両者に被挿入部１６を形成した例を示す。図１０（ａ）、（ｂ）では、前枠部１２、後枠部１４の両者とも前後方向（ベルトの長手方向）の幅がフック２０の開口入口２３の幅よりも小さい被挿入部１６を備えている。このため、図１０の例では、前枠部１２、後枠部１４の区別無く留め具１０を使用することができる。
【００４５】
（２）以上の実施形態において、留め具１０とフック２０とが接続された後は、被挿入部１６を塞いでもよい。被挿入部１６を塞げば、フック２０の位置や角度がずれても被挿入部１６からフック２０が外れることがなくなる。
【００４６】
（３）第３実施形態及び第４実施形態の他の一態様では、被挿入部１６及びフック部２１が左右２箇所ずつ形成されている例について述べたが、被挿入部１６及びフック部２１の位置及び数は適宜変更可能である。
【００４７】
（４）なお、以上の実施形態を適宜組み合わせることも可能である。例えば、第２実施形態と第３又は第４実施形態とを組み合わせることも可能である。
【００４８】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００４９】
１…締付け具、１０…留め具、１１…枠体、１２…前枠部、１３…側枠部、１４…後枠部、１５…係止部、１６…被挿入部、２０…フック、２１…フック部、２２…開口、２３…開口入口、２４…後端部、２５…傾斜部、３０…ベルト、３１…一端、３２…他端
【図１】
2013180089.tif 000003
【図２】
2013180089.tif 000004
【図３】
2013180089.tif 000005
【図４】
2013180089.tif 000006
【図５】
2013180089.tif 000007
【図６】
2013180089.tif 000008
【図７】
2013180089.tif 000009
【図８】
2013180089.tif 000010
【図９】
2013180089.tif 000011
【図１０】
2013180089.tif 000012